(57)【要約】【課題】離脱したり、排泄物が附着したりすることを回避することを可能とするペット用トイレ装置。【解決手段】第一固定部に設けたベルト体をペットの両脚部の間に装着させて使用するペット用携帯トイレ装置。第一固定部の上端部にギャップａを具え、その外側の対応する箇所に、着脱可能な中央がくり抜かれた形を呈した第二固定部を設け、第二固定部の上端部にもう一つのギャップｂを具えることにより、第一固定部と第二固定部１２の形を合わせて設置して、排泄物受袋の受袋口が第一固定部及び第二固定部によって挟まれて、ペットの排泄孔を覆うように装着することを可能とする。また、支え部の上部には固定ベルト体が設けてあり、該固定ベルト体の自由端はペットの身体上の首輪又はハーネスに接合することが可能であるため、ペットが身体の向きを変えることによってトイレ装置が離脱したり、排泄物が身体に附着したりすることを回避することを可能とする。【選択図】  図２
0003123888.tif 000002
【実用新案登録請求の範囲】
【請求項１】
中央がくり抜かれた形を呈した第一固定部を設け、
該第一固定部の上部には複数のベルト体Ａが設けてあり、且つそれぞれのベルト体Ａの
一端には一つの支え部が相互に連接されて設けられてなり、
該支え部の側部には複数の別のベルト体Ｂが設けられてなり、
該第一固定部の下部には複数のベルト体Ｃが設けてあり、
該別のベルト体Ｂのもう一端はベルト体Ｃのもう一端と相互に接合することが可能であ
り、それによりペットの両脚の間にベルト体Ａ(13)とベルト体Ｂ(15)とベルト体Ｃ(16)を
装着させることを可能とし、
前記第一固定部の上端部にペットの尻尾を収容するギャップａを具えてなり、
その外側の対応する箇所に、第一固定部に対応させて着脱可能な中央がくり抜かれた形を
呈した第二固定部を設けてなり、
該第二固定部の上端部にペットの尻尾を収容するもう一つのギャップｂをギャップａに
対応させて具えてなることにより、
排泄物の受袋の受袋口が第一固定部及び第二固定部の間に挟みこまれて、ペットの排泄孔
を覆うように真ん中に装着されることを可能とし、
さらに該受袋は第一固定部及び第二固定部の中央がくり抜かれた箇所から外側に向って露
出されてなり、
支え部の上部にはさらに一つの固定ベルト体が設けてあり、該固定ベルト体の自由端はペ
ットの身体上の首輪又はハーネスに相互に接合することが可能であることを特徴とするペ
ット用携帯トイレ装置。
【請求項２】
前記第一固定部と第二固定部の間にある磁性材質を通して、磁性がお互いに働きあうこ
とにより、第一固定部と第二固定部の相互間の着脱作用を提供することができることを特
徴とする請求項１記載のペット用の携帯トイレ装置。
【請求項３】
前記第一固定部と第二固定部の間にあるバックルの留め金装置を通してお互いの相互間
の着脱作用を提供することができることを特徴とする請求項１記載のペット用の携帯トイ
レ装置。
【考案の詳細な説明】
【技術分野】
【０００１】
本考案は、ペット用の携帯トイレ装置に関するものであり、特に飼い主にとって、ペッ
ト（例、犬又は猫）の排泄物を片付けるのに便利なトイレ装置であり、このトイレ装置に
よって、飼い主は排泄物を収容する受袋の装着がより便利となるだけでなく、同時に様々
な大きさのペットの異なる排泄距離の互換性を考慮しているため、ペットが排泄時に体の
向きを変える（例、くの字型）ことにより、トイレの離脱が生じたり、ペットの身体に排
泄物が粘着したりすることを回避することが可能である。
【背景技術】
【０００２】
現代社会の目まぐるしい発展や進歩、生活スタイルの変化、及び事業に対して成功を追
い求める現代人は、趣味などにより、仕事上のストレスを発散している。その中にはペッ
トを飼育することにより、生活を調整するということは、既に一種の流行のスタイルとな
っている。さらに、ペットの中でも、特に犬又は猫が大多数である。さらに、日常生活に
おいて、ペットの排泄物は特に飼い主の困りの種である。
【０００３】
一般の飼い主はペットの健康のために、通常、皆、適切な時機にペットを散歩に連れ出
す。そして、ペットは必ずしも一つの固定の箇所で排泄を行うわけではなく、直接にどこ
でも排泄を行う。且つ排泄物は大抵異臭が伴い、特に犬と猫の排泄物は軟質であり、掃除
の過程において、とても不便であるため、少数の飼い主だけが新聞紙によって片付けるよ
うにしている。
【０００４】
しかし、新聞紙によって排泄物を片付けることは、不便なだけでなく、完全にきれいに
片付けることも出来ない。そのため、大部分の飼い主のほとんどが、ペットにあっちこっ
ちで排泄させ、且つそのまま放置する。これにより、環境衛生が大変激しく破壊され、且
つ通行人がしばしば気づかずに排泄物を踏んでしまい、多大の迷惑を蒙る。このことは、
多くの場所がペットを同行することを拒絶する要因の一つである。
【０００５】
そのため、市場ではペット用のトイレ装置がシリーズとして発売されており、以下の特
許などもある。
１．アメリカ特許第６１４２１０５号「ペット用オムツ（Securely fitting pet diape
r）」は、一種のペット用オムツの斬新なアイデアであり、ペットの排泄部にオムツを包
み込み、それにより排泄物をオムツ内に留める設計である。しかし、ペットが活動時に容
易に排泄物が体に附着してしまい、事後には必ず身体を洗わなくてはならないため、不便
であり、理想的な設計ではない。
【０００６】
２．アメリカ特許第６６７５７４５号「服型ペット用オムツ（Pet diaper garment）」
は、一種の衣服の裁断の方式を利用することにより、ペット用オムツをよりフィットさせ
たものである。しかし、やはりオムツ形式により排泄部を包む方式であるため、身体に附
着するという前記の問題点の解決には至らない。
【０００７】
３．中華民国特許公告第３７７５５３号「動物用トイレ装置」の実用新案は、一種の中
央に通孔が設けられた基質を利用してなり、該基質の上部のそれぞれに二つのリングベル
ト及び定位ベルトが設けられることにより、ペットの尾部に装着することを可能とする。
また、通孔の下縁には一体して弾性リング部材を接続してなり、該弾性リング部材の中央
には、受袋口を装着させるための通孔が設けてある。
【０００８】
しかし、このトイレ装置の設計は、飼い主が受袋を装着、取り出しの際の便利性、さら
にペットの種類によって尻尾の大きさや長さ、または排泄位置が異なるということについ
て考慮していない（公知の設計は尻尾の位置を考慮するのみで、それぞれの動物の尻尾と
排泄位置については考慮していない）。また、トイレ装置はペットが排泄時に身体をくの
字型を呈した後に位置が偏り易くなり、さらには離脱してしまい、排泄物が身体に附着し
てしまうことがある設計であるため、不便であり理想的ではない。
【０００９】
４．中華民国特許公報証書第M２５８５８６号「動物の排泄物受け取り器」は、一種の
動物の排泄器官を覆うカバー部によってなり、並びにカバー部と相対して動物の排泄孔の
箇所に一つの通孔を設けてなり、且つ通孔の周辺の縁に一つの収集袋を連接することによ
ってなる。しかし、この設計では前述のようにペットの各種の動作により位置が曲がった
り、離脱する欠点の外に、各種のペットの尻尾の大きさ、長さ、更には尻尾と排泄位置の
距離について考慮していない為、排泄物が身体に附着するという問題を解決できない。
【００１０】
【特許文献１】アメリカ特許第６１４２１０５号明細書・図面
【特許文献２】アメリカ特許第６６７５７４５号明細書・図面
【特許文献３】中華民国特許公告第３７７５５３号公報
【特許文献４】中華民国特許公報証書第M２５８５８６号
【考案の開示】
【考案が解決しようとする課題】
【００１１】
前述したように、公知の構造には以下の欠点があった。すなわち、ペットの排泄部にオ
ムツを包み込み、それにより排泄物をオムツ内に留める設計であるペット用オムツは、ペ
ットが活動時に容易に排泄物が体に附着してしまい、事後には必ず身体を洗わなくてはな
らないため、不便であり、理想的な設計ではない。また、一種の衣服の裁断の方式を利用
することにより、ペット用オムツをよりフィットさせたものである「服型ペット用オムツ
（Pet diaper garment）」は、、やはりオムツ形式により排泄部を包む方式であるため、
身体に附着するという前記の問題点の解決には至らない。
【００１２】
さらにトイレ装置の設計は、飼い主が受袋を装着、取り出しの際の便利性、さらにペッ
トの種類によって尻尾の大きさや長さ、または排泄位置が異なるということについて考慮
していない（公知の設計は尻尾の位置を考慮するのみで、それぞれの動物の尻尾と排泄位
置については考慮していない）。さらには、トイレ装置はペットが排泄時に身体をくの字
型を呈した後に位置が偏り易くなり、さらには離脱してしまい、排泄物が身体に附着して
しまうことがある設計であるため、不便であり理想的ではない。
【００１３】
加えて、各種の動作により位置が曲がったり、離脱する欠点の外に、各種のペットの尻
尾の大きさ、長さ、更には尻尾と排泄位置の距離について考慮していない為、排泄物が身
体に附着するという問題を解決できない。
【００１４】
本考案は前述の課題に鑑みてなされたものである。
【課題を解決するための手段】
【００１５】
上記課題を解決する為に本考案は、下記のペット用の携帯トイレ装置を提供する。それ
は動物の排泄物を処理することを目的としたものである。
【００１６】
本考案の主な目的は公知の携帯トイレ装置とは異なるものを提供することであり、この
便器によって、飼い主がペット（犬や猫）に排泄物を収容する受袋を取り付けることを便
利にする以外に、同時に各種の動物の排泄孔の距離の相容性（例、各種の動物の尻尾の大
きさ、長さ、尻尾から排泄位置までの距離）を考慮し、動物の身体に排泄物が附着しない
ようにすることを目的とする。
【００１７】
本考案の第二の目的は、一種の自動的に位置が正されることを可能とするトイレ装置を
提供することであり、トイレ装置には一つの固定点があり、それにより動物が排泄を行う
時に、身体の向きの変更により便器が離脱し、動物の身体に排泄物が附着しないようにさ
せることである。
【００１８】
上述の二つの目的のために、本考案を提供する。
それは、中央がくり抜かれた形を呈した第一固定部(11)を設け、該第一固定部(11)の上
部には複数（図は２本）のベルト体Ａ(13)が設けてあり、且つそれぞれのベルト体Ａ(13)
の一端には一つの支え部(14)が相互に接続されて設けられてなり、該支え部(14)の側部に
は複数（図は２本）の別のベルト体Ｂ(15)が設けられてなり、該第一固定部の下部には複
数（図は２本）のベルト体Ｃ(16)が設けてあり、該別のベルト体Ｂ(15)のもう一端はそれ
ぞれのベルト体Ｃ(16)のもう一端と相互に接合する。
【００１９】
これにより、ペットの両脚の間にベルト体Ａ(13)とベルト体Ｂ(15)とベルト体Ｃ(16)を
装着させることを可能とし、さらに、前記第一固定部(11)の上端部にペットの尻尾を収容
するギャップａ(110)（たとえば、Ｕ字型）を具えてなり、その外側の対応する箇所に、
第一固定部(11)に対応させて着脱可能な、中央がくり抜かれた形を呈した第二固定部(12)
を設けてなり、該第二固定部(12)の上端部にペットの尻尾を収容するもう一つのギャップ
ｂ(120)をギャップａ(110)に対応させて具えてなることにより、排泄物の受袋(21)の受袋
口(2)が第一固定部(11)と第二固定部(12)の間に挟みこまれて、ペットの排泄孔を覆うよ
うに真ん中に装着されることを可能とし、さらに、該受袋(21)は第一固定部(11)及び第二
固定部(12)の中央がくり抜かれた箇所から外側に向って露出するようにする。
【００２０】
且つ、支え部(14)の上部にはさらに一つの固定ベルト体(4)が設けてあり、該固定ベル
ト体(4)の自由端はペットの身体上の首輪(5)又はハーネスと相互に接合することが可能で
あるため、ペットの動物(3)が身体の向きを変えることによってトイレ装置(1)が離脱した
り、排泄物がペットの身体に附着したりする心配が無くなる。
【考案の効果】
【００２１】
上述のように、本考案のトイレ装置１の設計を通して、公知の前述の各項の欠点を有効
に解決することができ、同時に受袋２１の着脱を便利とし、異なる種類の動物３の尻尾３
１から排泄孔までの距離に全てに合わせ、さらには排泄物が身体に附着せず、加えてトイ
レ装置１を自動的に引っ張って正すことにより、動物３が排泄時に身体の向きを変えるこ
とによりトイレ装置１が離脱することが無くなる、という以上のことにより、動物３がど
こでも排泄をして、排泄物を残留させることを回避し、環境衛生を保護するという目的を
達成する。
【考案を実施するための最良の形態】
【００２２】
図１に示すように、本考案のペット用の携帯トイレ装置は、トイレ装置１によって構成
されてなり、該トイレ装置１は第一固定部１１を含めてなり、該第一固定部１１の中央は
くり抜かれた形を呈してなり、且つその上端部には一つのギャップa１１０（好ましくは
、Ｕ字型を呈した）を具えてなり、その形態は動物３（例、犬又は猫）の排泄孔と対応す
ることが可能であり（図３参照）、同時に前記ギャップa１１０は動物３の異なる各種大
きさや長さの尻尾３１を収容し、さらには、尻尾３１から排泄孔までのそれぞれ異なる距
離に適合できるようにさせる。
【００２３】
また、前記第一固定部１１の外側の対応する箇所に、第二固定部１２を設けてなる。該
第二固定部１２の中央もまた、第一固定部１１の形と同じくり抜かれた形を呈してなり、
且つその上端部にも同様にもう一つのギャップｂ１２０を具えてなり、これにより動物３
の排泄物を収容する受袋２１の受袋口２を第一固定部１１と第二固定部１２の中央に挟み
こんで第一固定部１１と第二固定部１２の形を合わせて装着することができ、さらに受袋
２１は第一固定部１１と第二固定部１２の中央のくり抜かれた箇所から外側に向って露出
（図３参照）してなる。
【００２４】
前記第一固定部１１の上部には、複数のベルト体Ａ１３を設けてあり、該ベルト体Ａ１
３の一端は支え部１４と接続し合って装着され、該支え部14の側部には複数のもう一つの
ベルト体Ｂ１５を設けてあり、さらに、該第一固定部１１の下部には複数のベルト体Ｃ１
６が設けてあり、それぞれのベルト体Ｃ１６のもう一方の端ともう一つのベルト体Ｂ１５
のもう一方の端は接続し合うことにより、一つの動物３の両脚部３２の間にベルト体Ａ(1
3)とベルト体Ｂ(15)とベルト体Ｃ(16)を装着するトイレ装置（図２及び図３参照）を形成
することができる。
【００２５】
本考案の実施例において、それぞれのベルト体Ｃ１６のもう一方の端とそれぞれのもう
一つのベルト体Ｂ１５のもう一方の端は留め具Ｂ１３１及び留め具Ａ１５１を設けること
により、相互に留まり合うようにし、この外に各ベルト体Ａ１３ともう一つののベルト体
Ｂ１５はそれぞれ調整可能な長さに装着されてなる。
【００２６】
図１、図２、図３に示すように、支え部１４の上部には一つの固定ベルト体４が設けら
れてなり、該固定ベルト体４の自由端４１は動物３の首輪５（又はハーネス）と接続し合
うことが可能であり、これにより第一固定部１１の位置は自動的に正しい位置である動物
３の排泄孔位置に安定して正され、さらに、固定ベルト体４は長さが調整可能なように装
着される。
【００２７】
本考案の実施例の中で、第一固定部１１と第二固定部１２の間には一つの磁性材質（例
、強力な磁石）を装着することにより、相互間の着脱作用を提供する。また、第一固定部
１１と第二固定部１２の間にバックルの留め金装置を通して、相互間の着脱作用を提供す
る。
【００２８】
図３に示すように、上述の構造部品からも分かるように、使用者はそれぞれのベルト体
Ｃ１６のもう一端ともう一方のベルト体Ｂ１５のもう一端が相互に接続することを利用し
て、動物３の両脚部３２の間にベルト体Ａ(13)とベルト体Ｂ(15)とベルト体Ｃ(16)を装着
することができる。
【００２９】
この時、動物の排泄孔は、第一固定部１１及び第二固定部１２の中間に挟さまれて設け
られた受袋口２によって完全に覆われてなり、且つ動物３の尻尾３１はギャップａ１１０
、ギャップｂ１２０によって外側方向に露出することが出来、さらに固定ベルト体４の自
由端４１が動物３上の首輪５（あるいはハーネス）と接続してあることを通して、第一固
定部１１を自動的に引っ張って動物３の排泄孔の位置を直すことが可能となり、動物３が
身体の向きを変える（例、くの字型）ことによりトイレ装置１が離脱して、排泄物が身体
に附着したりする心配が無くなる。
【図面の簡単な説明】
【００３０】
【図１】本考案のペット用の携帯トイレ装置の外観説明図である。
【図２】本考案のペット用の携帯トイレ装置のベルト体Ｂとベルト体Ｃを留め具Ａ、留め具Ｂで接続した時の説明図である。
【図３】本考案のペット用の携帯トイレ装置の実施状況の説明図である。
【符号の説明】
【００３１】
１    トイレ装置
１１    第一固定部
１１０  ギャップａ
１２    第二固定部
１２０  ギャップｂ
１３    ベルト体Ａ
１３１  留め具Ｂ
１４    支え部
１５    ベルト体Ｂ
１５１  留め具Ａ
１６    ベルト体Ｃ
２    受袋口
２１    受袋
３    動物
３１    尻尾
３２    両脚部
４    固定ベルト体
４１    自由端
５    首輪
【図１】
0003123888.tif 000003
【図２】
0003123888.tif 000004
【図３】
0003123888.tif 000005